(57)【要約】【課題】間仕切壁下部スペースでの配線および間仕切壁内部への配線が円滑に行え、通線性が良好な間仕切壁の支持構造を提供する。【解決手段】縦芯材（２）および横芯材（３）よりなるパネル枠の表面にボード（４）を貼着して形成させる間仕切壁（１）を、配線スペース（６）を有する中空台座（５）にて支持してなる間仕切壁（１）の支持構造において、間仕切壁（１）の側端部より、配線を通線可能な余地を残した位置まで内方に位置させて中空台座（５）を配設して間仕切壁（１）を支持してなることを特徴としている。【選択図】      図１
2005016037.tif 000002
【特許請求の範囲】
【請求項１】
縦芯材および横芯材よりなるパネル枠の表面にボードを貼着して形成せる間仕切壁を、配線スペースを有する中空台座にて支持してなる間仕切壁の支持構造において、間仕切壁の側端部より、配線を通線可能な余地を残した位置まで内方に位置させて中空台座を配設して間仕切壁を支持してなることを特徴とする間仕切壁の支持構造。
【請求項２】
間仕切壁の側端部より、縦芯材の正面幅寸法以上で、縦芯材の正面幅寸法と側面奥行寸法とを加算した寸法以下の寸法位置まで内方に位置させて中空台座を配設した請求項１記載の間仕切壁の支持構造。
【請求項３】
間仕切壁の両側端部より、同一位置まで内方に位置させて中空台座を配設した請求項１または２記載の間仕切壁の支持構造。
【発明の詳細な説明】
【０００１】
【発明の属する技術分野】
この出願の発明は、間仕切壁の支持構造に関するものである。さらに詳しくは、この出願の発明は、間仕切壁下部スペースでの配線および間仕切壁内部への配線が円滑に行え、通線性が良好な間仕切壁の支持構造に関するものである。
【０００２】
【従来の技術】
従来、芯材の表面にボードを貼着して形成せる間仕切壁を、配線スペースを有する中空台座にて支持してなる間仕切壁の支持構造が知られている（たとえば、特許文献１、特許文献２参照）。
【０００３】
【特許文献１】
特開平２００２−３８６３６号公報
【特許文献２】
特開平１１−１４８１９２号公報
【０００４】
【発明が解決しようとする課題】
上記従来の間仕切壁の支持構造においては、間仕切壁から中空台座への荷重バランスを保って支持するために、間仕切壁の両側端部を中空台座にて支持している。
【０００５】
しかしながら、間仕切壁の両側端部を中空台座にて支持した場合には、たとえば、図７に例示したように、隣り合う間仕切壁（ア）（ア）を直角に突き合わせて中空台座（イ）（イ）にて支持したり、図８に例示したように隣り合う間仕切壁（ア）（ア）をＴ字状に突き合わせて中空台座（イ）（イ）にて支持したりした際に、隣り合う間仕切壁（ア）（ア）の中空台座（イ）（イ）が近接していて、配線（ハ）を通線する余地がないため、間仕切壁（ア）（ア）の突き合わせ部（Ｘ）で通線できなくなり、間仕切壁（ア）下部スペースでの配線および間仕切壁（ア）内部への配線が円滑に行うことができず、通線性が悪いという問題があった。
【０００６】
そこで、この出願の発明は、以上のとおりの事情に鑑みてなされたものであって、従来の問題点を解消し、間仕切壁下部スペースでの配線および間仕切壁内部への配線が円滑に行え、通線性が良好な間仕切壁の支持構造を提供することを課題としている。
【０００７】
【課題を解決するための手段】
この出願の発明は、上記の課題を解決する手段として、第１には、縦芯材および横芯材よりなるパネル枠の表面にボードを貼着して形成せる間仕切壁を、配線スペースを有する中空台座にて支持してなる間仕切壁の支持構造において、間仕切壁の側端部より、配線を通線可能な余地を残した位置まで内方に位置させて中空台座を配設して間仕切壁を支持してなることを特徴とする間仕切壁の支持構造を提供する。
【０００８】
またこの出願の発明は、第２には、間仕切壁の側端部より、縦芯材の正面幅寸法以上で、縦芯材の正面幅寸法と側面奥行寸法とを加算した寸法以下の寸法位置まで内方に位置させて中空台座を配設した間仕切壁の支持構造を、第３には、間仕切壁の両側端部より、同一位置まで内方に位置させて中空台座を配設した間仕切壁の支持構造を提供する。
【０００９】
【発明の実施の形態】
この出願の発明は上記のとおりの特徴をもつものであるが、以下、その実施の形態について詳しく説明する。
【００１０】
図１、図２および図３は、この出願の発明の間仕切壁の支持構造の実施形態を模式的に示した図であり、図１は一実施形態の一部分解要部斜視図を、図２は一実施形態の要部斜視図を、図３は、別の実施形態の一部分解要部斜視図をそれぞれ示している。
【００１１】
この図１、図２および図３に沿って説明すると、この出願の発明の間仕切壁の支持構造は、まず、縦芯材（２）および横芯材（３）よりなるパネル枠の表面にボード（４）を貼着して間仕切壁（１）を形成している。この間仕切壁（１）は、配線スペース（６）を有する中空台座（５）にて支持されている。この中空台座（５）を、間仕切壁（１）の側端部より、配線を通線可能な余地を残した位置まで内方に位置させて配設させることによって、隣り合う間仕切壁（１）（１）の中空台座（５）、（５）が近接することがなく、間仕切壁（１）の側端部内方の横芯材（３）に、間仕切壁（１）内部への配線の通線性を確保するための通線孔（８）を設けるとともに、この中空台座（５）に、配線を通線するための配線孔（７）を少なくとも１つ以上が設けることができる。これによって、間仕切壁（１）の下部スペースでの配線および間仕切壁（１）の内部への配線がともに円滑に行うことができ、通線性が良好な間仕切壁の支持構造を提供することができる。
【００１２】
さらに好ましくは、中空台座（５）の配設位置としては、間仕切壁（１）の側端部より、縦芯材（２）の正面幅寸法（Ａ）以上で、縦芯材（２）の正面幅寸法（Ａ）と側面奥行寸法（Ｂ）とを加算した寸法以下の寸法位置（Ｃ）まで内方に位置させて、中空台座（５）を配設することによって、荷重バランスを保持すると同時に、良好な通線性を確保するという目的から好ましい。
【００１３】
図４、図５および図６は、この出願の発明の実施形態の通線状態を例示した図であり、図４は間仕切壁を直角に突き合わせた実施形態の通線状態を例示した要部横断面図を、図５は間仕切壁をＴ字型に突き合わせた実施形態の通線状態を例示した要部横断面図を、図６はさらに別の実施形態を模式的に例示した正面図をそれぞれ示している。
【００１４】
この出願の発明の間仕切壁の支持構造によって、図４に例示したとおり、間仕切壁（１）、（１）を直角に突き合わせて中空台座（５）、（５）にて支持した場合および図５に例示したとおり、隣り合う間仕切壁（１）、（１）をＴ字型に突き合わせて中空台座（５）、（５）にて支持した場合、いずれにおいても、隣り合う間仕切壁（１）の中空台座（５）（５）が近接しておらず、この間仕切壁（１）の両側端部近傍に通線孔（８）を設けることができ、配線（９）を通線する余地ができる。このため、図４、図５および図６に示すように、間仕切壁（１）下部スペースでの配線（９）および間仕切壁（１）内部での配線（９）を円滑に行え、通線性が良好とすることができる。
【００１５】
さらに、図３および図６に例示したように、この出願における中空台座（５）の配設位置として、間仕切壁（１）の両側端部より、同一位置まで内方に位置させて２つの中空台座（５）（５）を配設した場合には、間仕切壁（１）から中空台座（５）（５）への荷重バランスを保って間仕切壁（１）を中空台座（５）（５）にて支持することができ、特に安定な間仕切壁の支持構造とすることができる。
【００１６】
なお、間仕切壁（１）の側端部から中空台座（５）の内方側の側端部までの寸法（Ｄ）が、間仕切壁（１）の側端部から間仕切壁（１）の中心線（ａ）までの寸法（Ｅ）以下であることが好ましい。
【００１７】
この出願の発明の間仕切壁（１）の支持構造に用いられる横芯材（３）や縦芯材（２）、ボード（４）、中空台座（５）等は以上の例示に限られることはない。たとえば、ステンレススチール等の金属類、木質系や樹脂等の各種の素材とすることや各種の塗装・加工処理を施すこともでき、その大きさや形状等、その細部の形態において様々に可能であることは言うまでもない。
【００１８】
【発明の効果】
以上詳しく説明したとおり、この出願の発明によって、間仕切壁下部スペースでの配線および間仕切壁内部への配線が円滑に行え、通線性が良好な間仕切壁の支持構造が提供される。
【図面の簡単な説明】
【図１】この出願の発明の間仕切壁の支持構造の一実施形態を例示した一部分解要部斜視図である。
【図２】図１の実施形態において、ボードを貼着した状態を例示した要部斜視図である。
【図３】この出願の発明の間仕切壁の支持構造の別の実施形態を例示した一部分解要部斜視図である。
【図４】この出願の発明において、間仕切壁を直角に突き合わせた実施形態の通線状態を例示した要部横断面図である。
【図５】この出願の発明において、間仕切壁をＴ字型に突き合わせた実施形態の通線状態を例示した要部横断面図である。
【図６】この出願の発明における、さらに別の実施形態を模式的に例示した正面図である。
【図７】従来における間仕切壁を直角に突き合わせた形態を例示した要部横断面図である。
【図８】従来における間仕切壁をＴ字型に突き合わせた形態を例示した要部横断面図である。
【符号の説明】
１    間仕切壁
２    縦芯材
３    横芯材
４    ボード
５    中空台座
６    配線スペース
７    配線孔
８    通線孔
９    配線
ア  間仕切壁
イ  中空台座
ハ  配線
【図１】
2005016037.tif 000003
【図２】
2005016037.tif 000004
【図３】
2005016037.tif 000005
【図４】
2005016037.tif 000006
【図５】
2005016037.tif 000007
【図６】
2005016037.tif 000008
【図７】
2005016037.tif 000009
【図８】
2005016037.tif 000010